(57)【要約】【課題】  簡易な手法で以って固結材のクラック破壊を回避して確実なアンカーの引抜耐力を得ることができる、アンカー技術を提供すること。【解決手段】  先端部をアンボンド構造とした引張材２１と、引張材２１を内挿して引張材に固定し、拡径方向に座屈変形可能な補強定着筒３０とによりアンカー体２０を構成し、引張材２１は拡径耐荷体４０に対して補強定着筒３０を介して固着しつつ、拡径耐荷体４０の埋設範囲に亘ってから絶縁した。【選択図】  図１
2006348669.tif 000002
【特許請求の範囲】
【請求項１】
アンカー孔内で拡径方向に変形が可能な構造のアンカー体と、該アンカー体を挿入したアンカー孔内の拡大空間に固結材を充填して形成した拡径耐荷体とによりなるアンカーの構造であって、
前記アンカー体は少なくとも拡径耐荷体の埋設範囲をアンボンド構造とした引張材と、
引張材を内挿して該引張材の先端に固定した拡径方向に座屈変形可能な補強定着筒よりなり、
前記引張材は拡径耐荷体に対して補強定着筒を介して固着しつつ、拡径耐荷体から絶縁したことを特徴とする、
アンカーの構造。
【請求項２】
請求項１において、一本の引張材に複数の補強定着筒を配置してアンカー体を構成し、前記引張材の長手方向に沿って拡径耐荷体を形成し、引張材に作用する引張力を前記複数の拡径耐荷体により支持することを特徴とする、アンカーの構造。
【請求項３】
請求項１または請求項２において、補強定着筒はその中間部に、拡径方向に座屈変形可能な複数の変形定着部を形成していることを特徴とする、アンカーの構造。
【請求項４】
アンカー体を挿入したアンカー孔に固結材を充填して定着するアンカーの構築方法であって、
少なくとも拡径耐荷体の埋設範囲をアンボンド構造とした引張材と、引張材を内挿して該引張材に固定し、拡径方向に座屈変形可能な補強定着筒とによりアンカー体を構成し、
前記アンカー体の補強定着筒をアンカー孔内で拡径方向に座屈変形させ、
前記引張材が補強定着筒を介して拡径耐荷体に固着しつつ、拡径耐荷体から絶縁するように、前記アンカー孔内に固結材を充填して拡径耐荷体を形成したことを特徴とする、
アンカーの構築方法。
【請求項５】
請求項４において、引張材に複数の補強定着筒を配置し、補強定着筒の先端を引張材に固定し、前記複数の補強定着筒に圧縮力を作用させて拡径方向に座屈変形させ、アンカー孔内に固結材を充填して前記引張材の長手方向に沿って複数の拡径耐荷体を形成したことを特徴とする、アンカーの構築方法。
【請求項６】
請求項４または請求項５において、前記補強定着筒はその中間部に、複数のスリットと、スリットの間に拡径方向に座屈変形可能な複数の変形定着部とを形成し、補強定着筒に圧縮力を作用させて前記複数の変形定着部を拡径方向に座屈変形させることを特徴とする、アンカーの構築方法。
【請求項７】
請求項４乃至請求項６の何れかにおいて、アンカー体の挿入に先行してアンカー孔内に拡径方向に拡径拡大空間を形成したことを特徴とする、アンカーの構築方法。
【発明の詳細な説明】
【技術分野】
【０００１】
本発明は浅い深度や軟弱地盤でも大きいアンカー耐力（引抜抵抗力）を得ることができるアンカーの構造及びアンカーの構築方法に関するものである。
【背景技術】
【０００２】
高強度鋼棒やＰＣ鋼より線等よりなるアンカー体をアンカー孔内に充填した固結材に付着させて定着するアンカー工法は古くから知られていて、各種の用途に用いられている。
例えば山岳地帯における落石、雪崩、崩落土砂の抑制手段である衝撃吸収柵の反力源としてアンカーが用いられている。
【発明の開示】
【発明が解決しようとする課題】
【０００３】
前記した従来のアンカー技術にあっては、次のような問題点がある。
（１）作業環境が整った現場にアンカーを構築するのであれば特別問題にならないが、大型施工機械の搬入が困難な例えば山岳地帯の急峻な斜面現場においては、従来のアンカー工を利用することは極めて困難である。
（２）大きなアンカー耐力を得るためにアンカーを岩盤位置に定着させる必要があるが、山岳地帯では岩盤に到達するまでの深度が大きい場合が多い。そのために、深いアンカー孔の削孔作業が困難を極めるだけでなく、アンカーの自由長が長大化する分だけアンカーコストが嵩む問題がある。
（３）岩盤より表層の軟弱な地盤で大きいアンカー耐力を得るアンカー工法として、爆発アンカー工法が知られている。
この工法はアンカー孔内で爆発物を爆発させ、アンカーの孔奥部に形成した拡大空間に固結材を充填して引張材の引抜抵抗の増加に活用するものである。
このアンカー工法にあっては、爆発時に大きな震動が発生するために、落石や土砂崩壊などの新たな災害を引き起こしかねない危険がある。
（４）アンカー孔の孔奥部を拡大させる他の方法として、瞬間膨張材を用いる工法がある。
この工法は震動を小さく抑制できる反面、拡径の信頼度が低いことと、固結材が完全に充填されているか確認方法がないためにアンカー耐力に対する信頼性が低いという問題がある。
（５）アンカー体は定着長の範囲に亘り固結材と直接接触することで付着力を確保している。
そのため、アンカー体に引張力が作用すると固結材の躯体にも引張力が作用することになって、地表に近い側から固結材にクラックが入って剥がれ落ち、最終的にはアンカー体と固結材が分離してアンカー耐力を失うという致命的な問題がある。
【０００４】
本発明は上記したような従来の問題点を解決するためになされたもので、その目的とするところは簡易な手法で以って固結材のクラック破壊を回避して確実なアンカーの引抜耐力を得ることができる、アンカー技術を提供することにある。
また本発明は作業性とコストの改善が図れる、アンカー技術を提供することを目的とする。
【課題を解決するための手段】
【０００５】
本願の第１発明は、アンカー孔内で拡径方向に変形が可能な構造のアンカー体と、該アンカー体を挿入したアンカー孔内の拡大空間に固結材を充填して形成した拡径耐荷体とによりなるアンカーの構造であって、前記アンカー体は少なくとも拡径耐荷体の埋設範囲をアンボンド構造とした引張材と、引張材を内挿して該引張材の先端に固定した拡径方向に座屈変形可能な補強定着筒よりなり、前記引張材は拡径耐荷体に対して補強定着筒を介して固着しつつ、拡径耐荷体から絶縁したことを特徴とする、アンカーの構造である。
本願の第２発明は、前記第１発明において、一本の引張材に複数の補強定着筒を配置してアンカー体を構成し、前記引張材の長手方向に沿って拡径耐荷体を形成し、引張材に作用する引張力を前記複数の拡径耐荷体により支持することを特徴とする、アンカーの構造である。
本願の第３発明は、前記第１発明または第２発明において、補強定着筒はその中間部に、拡径方向に座屈変形可能な複数の変形定着部を形成していることを特徴とする、アンカーの構造である。
【０００６】
本願発明は、前記第１発明乃至第３発明の何れかにおいて、同軸線上に異径径でかつ変形量に差を有する複数の補強定着筒を多重に配置し、少なくとも外側の補強定着筒の先端を引張材と離脱しないように固着し、拡径方向に向けて拡径量を異ならしめて座屈変形させた多重の拡径耐荷体を、拡径耐荷体に埋設したことを特徴とする、アンカーの構造である。
【０００７】
本願の第４発明は、アンカー体を挿入したアンカー孔に固結材を充填して定着するアンカーの構築方法であって、少なくとも拡径耐荷体の埋設範囲をアンボンド構造とした引張材と、引張材を内挿して該引張材に固定し、拡径方向に座屈変形可能な補強定着筒とによりアンカー体を構成し、前記アンカー体の補強定着筒をアンカー孔内で拡径方向に座屈変形させ、前記引張材が補強定着筒を介して拡径耐荷体に固着しつつ、拡径耐荷体から絶縁するように、前記アンカー孔内に固結材を充填して拡径耐荷体を形成したことを特徴とする、アンカーの構築方法である。
本願の第５発明は、前記第４発明において、引張材に複数の補強定着筒を配置し、補強定着筒の先端を引張材に固定し、前記複数の補強定着筒に圧縮力を作用させて拡径方向に座屈変形させ、アンカー孔内に固結材を充填して前記引張材の長手方向に沿って複数の拡径耐荷体を形成したことを特徴とする、アンカーの構築方法である。
本願の第６発明は、前記第４発明または第５発明において、前記補強定着筒はその中間部に、複数のスリットと、スリットの間に拡径方向に座屈変形可能な複数の変形定着部とを形成し、補強定着筒に圧縮力を作用させて前記複数の変形定着部を拡径方向に座屈変形させることを特徴とする、アンカーの構築方法である。
本願の第７発明は、前記第４発明乃至第６発明の何れかにおいて、アンカー体の挿入に先行してアンカー孔内に拡径方向に拡径拡大空間を形成したことを特徴とする、アンカーの構築方法である。
【０００８】
本願発明は、前記第４発明乃至第７発明の何れかにおいて、前記アンカー体は、少なくとも拡径耐荷体の埋設範囲をアンボンド構造とした引張材と、引張材を内挿して引張材の同軸線上に多重に配置した異径でかつ変形量に差を有する複数の補強定着筒とによりアンカー体を構成し、少なくとも外側の補強定着筒の先端を引張材と離脱しないように固着し、多重に配置した補強定着筒の後端を支持した状態で、引張材を引張して多重に配置した補強定着筒を、拡径量を異ならしめて拡径方向に座屈変形させ、前記引張材が補強定着筒を介して拡径耐荷体に固着しつつ、拡径耐荷体から絶縁するように、座屈変形させた多重の拡径耐荷体を、拡径耐荷体に埋設したことを特徴とする、アンカーの構築方法である。
【発明の効果】
【０００９】
本発明は次のような効果を得ることができる。
（１）引張材は拡径耐荷体に埋設した範囲をアンボンド構造として引張材を拡径耐荷体から構造的に絶縁した。
したがって、引張材に引張力が作用したときに固結材のクラック破壊を効果的に防止して拡径耐荷体と引張材の結合を長期間に亘って保証できる。
さらに特殊な計測装置を使用することなく、補強定着筒の座屈変形量（拡径量）を簡易な方法で正確に把握することができる。
したがって、上記したふたつの要因により従来のアンカーと比べてアンカー耐力に対する信頼性が高くなる。
（２）補強定着筒は拡径耐荷体と引張材を連結するだけでなく、拡径耐荷体を補強して強度を増強する機能を併有する。
拡径耐荷体の強度が増強することに伴い地中での引抜抵抗力が増すから、アンカー孔を岩盤に達する深度まで削孔しなくとも、軟弱な地盤であっても表層に近い深さで以って十分な支持力を確保することができる。
（３）従来は大きなアンカー耐力を得るために大型施工機械を用いてアンカーを岩盤位置に定着させる必要があった。
本発明ではアンカー孔の削孔長を従来と比べて短くできるので、アンカーコストを低減できる上に、例えば山岳地帯の急峻な斜面現場においてもアンカーを構築することができる。
（４)補強定着筒を圧縮して座屈変形させた変形定着部が拡大空間の地山と接するので、孔壁を保護した環境下で固結材を充填できて、拡径耐荷体を高品質に形成できる。
（５)アンカー体に複数の拡径耐荷体を設けると、軟弱地盤であっても高いアンカー耐力を確保しつつアンカー孔の削孔長を短くすることができる。
【発明を実施するための最良の形態】
【００１０】
以下、図面を参照しながら本発明に係る実施例について説明する。
【実施例１】
【００１１】
（１）全体の概要
図１に本発明に係るアンカーのモデル図を示す。
このアンカーはアンカー孔１０内で拡径方向に座屈変形が可能な構造のアンカー体２０と、アンカー孔１０内の拡大空間に固結材を充填して形成した拡径耐荷体４０とにより構成する。
アンカー体２０は引張材２１と、引張材２１に外装し、拡径可能な補強定着筒３０よりなる。以降に各構成部材について詳述する。
【００１２】
（２）引張材
ＰＣ鋼より線、ＰＣ鋼線、ＰＣ鋼棒等よりなる引張材２１は、補強定着筒３０に内挿し、その先端を定着具２３を介して補強定着筒３０の先端部に離脱しないように固着する。
引張材２１の先端部を除いた少なくとも拡径耐荷体４０に埋設する範囲はシース２２等で被覆してアンボンド構造とする。
【００１３】
アンカー孔１０内で拡径耐荷体４０から露出した範囲（自由長）の引張材２１は、引張材２１を露出したままの状態としておくか、或いは防錆を図るためにシースやグリース等で被覆しておく。
尚、孔外に突出した引張材２１の端部は、例えば図示するようなループ２４を形成するか、或いは直線状のままにしておく。引張材２１の端部はアンカーの使途に応じた適宜の形態を選択する。
【００１４】
従来のアンカーは引張材を固結材に積極的に固着させることで定着力を確保していた。
これに対し本発明では従来とは逆に、引張材２１を固結材と付着させずに構造的に絶縁させ、引張材２１と固結材間の固着は補強定着筒３０を介して行うようにしたものである。
【００１５】
引張材２１をアンボンドとする形成範囲は、少なくとも地表に近い側のクラック破壊の予想される拡径耐荷体４０の地表側の略上半の埋設範囲がアンボンド構造になっていればよい。
引張材２１に引張力が作用したときに地表に近い側から拡径耐荷体４０を構成する固結材が引張材２１に引きつられてクラック破壊するのを回避するためである。
【００１６】
したがって、本発明では引張材２１をアンボンドにする範囲が拡径耐荷体４０への埋設範囲と完全一致を意味するものではなく、拡径耐荷体４０の残りの略下半の埋設範囲をボンド構造として拡径耐荷体４０に固着させる場合を含むものである。
径耐荷体４０の略下半の埋設範囲をボンド構造にして引張材２１を固着しても、地表に近い側の拡径耐荷体４０にクラック破壊力が作用する心配はない。
引張材２１を補強定着筒３０に固定することに加えて、引張材２１の先端部を径耐荷体４０の略下半に固着すると、その固着分だけ引張材２１と径耐荷体４０の固着力が高まる上に、拡径耐荷体４０に対する引張力の分散範囲が広って応力集中を回避することができる。
【００１７】
（３）補強定着筒
補強定着筒３０は拡径耐荷体４０を補強する機能と、拡径耐荷体４０に直接接着して固着する機能と、引張材２１と拡径耐荷体４０を固着する機能を併有した筒部材である。
【００１８】
補強定着筒３０はアンカー孔１０より短い長さを有する。図２，３を基に詳しく説明すると、補強定着筒３０の長さ方向の中間部には、その軸方向に沿って複数のスリット３１が形成されていると共に、隣り合うスリット３１，３１の間に帯状を呈する複数の変形定着部３２が形成されている。
補強定着筒３０の両端部はスリット３１が形成されていない無端形状を呈している。
変形定着部３２は補強定着筒３０の両端に強制的に圧縮力を作用させたときに、拡径方向に座屈変形する部位であり、変形定着部３２の形成数、形成幅、全長については要求されるアンカー耐力に基づいて適宜選択する。
【００１９】
またスリット３１と変形定着部３２の形成方向は、補強定着筒３０の軸線に対し斜め方向に形成してもよいし、スリット３１に代えて溝を形成し、補強定着筒３０の両端に強制的に圧縮力を作用させたときに溝の形成範囲に亘って筒体に亀裂が生じるようにしてもよい。
【００２０】
補強定着筒３０の断面形状は図示した円形が望ましいが、円形以外に楕円形や多角形を採用する場合もある。
また補強定着筒３０の素材としては、塑性変形する鋼材が好適である。
【００２１】
（４）アンカーの構築方法
つぎにアンカーの構築方法について説明する。
【００２２】
［アンカー体の挿入］
図４に示すように、アンカー孔１０を削孔して構築する。
本発明は後述するようにアンカー孔１０を拡大するので、アンカー孔１０を従来のように岩盤に達する深度まで削孔する必要はなく、軟弱な地盤であっても岩盤より表層に近い深さで十分である。
したがって、山岳地帯であっても岩盤に到達するまでの大深度に削孔するための大型施工機械の搬入が必要なくなると共に、使用するアンカー体２０の全長も短くて済むから、従来と比べて作業性や材料コストの負担を大幅に軽減できる。
【００２３】
尚、図４ではアンカー孔１０内に削孔に用いたケーシング１１を残置させて孔壁の崩落を防止する場合を示すが、孔壁が自立している場合はケーシング１１を回収撤去する。
【００２４】
補強定着筒３０に引張材１１を内挿し、引張材１１の先端（下端）を補強定着筒３０の先端（下端）に固定してアンカー体２０を製作する。
【００２５】
予め製作したアンカー体２０をアンカー孔１０に挿入する。
アンカー孔１０の深さより短い補強定着筒３０を座屈変形させるため、引張材１１に反力体５０を外装する。
反力体５０の先端（下端）は補強定着筒３０の後端（上端）に当接させる。
反力体５０を後で撤去する関係から、両筒３０，５０は当接させるだけで固定はしない。
【００２６】
反力体５０はその先端が補強定着筒３０の後端（上端）に当接した状態で、その後端（上端）が孔外へ突出する長さを有する力伝達部材である。
このように反力体５０は補強定着筒３０に圧縮力を伝える力の伝達部材であるから、反力体５０が補強定着筒３０より先に座屈することがないように、反力体５０の座屈強度は補強定着筒３０より高く設定しておく。
反力体５０の素材強度や肉厚を選択することで、反力体５０の座屈強度を設定することができる。
反力体５０は筒体である必要はなく、上記したように地表側から補強定着筒３０へ力を伝達し得る形態であればよい。
【００２７】
反力体５０のセット時期は、アンカー体２０をアンカー孔１０に挿入した後にセットすることに限定されるものではなく、予めアンカー体２０にセットしたものを一体でアンカー孔１０内に挿入する場合もある。
また図示するように補強定着筒３０と反力体５０の当接予定の端部にフランジを形成して接触面積の増大を図ることが望ましい。
【００２８】
［補強定着筒の拡径］
次に、ケーシング１１を補強定着筒３０の後端（上端）位置まで、或いは孔外へ引き上げる。
そして図５に示すように反力体５０の後端（上端）に反力をとった状態で、引張材２１に引張力を加えて圧縮すると、変形定着部３２が拡径方向に座屈変形してアンカー孔１０の奥部に拡大空間１２が形成される。
【００２９】
反力体５０に反力を得て引張材２１に引張力を加える手段としては、例えば公知のセンターホール型のジャッキ５１を使用できるが、これ以外に公知の機器の適用が可能である。
【００３０】
補強定着筒３０の座屈変形について詳しく説明すると、引張材２１に加えた引張力は、引張材２１の先端を固定した補強定着筒３０の後端（上端）へ伝わり、補強定着筒３０を経由して反力体５０で支持され、その結果、両筒３０，５０の軸方向に向けて圧縮力が作用する。
【００３１】
補強定着筒３０の座屈強度は反力体５０より低く、また補強定着筒３０はその中間部がスリット３１を形成した分が断面欠損となっているため、補強定着筒３０の中間部に形成した変形定着部３２が圧縮力を受けて拡径方向に向けて座屈変形を開始する。
【００３２】
変形定着部３２が拡径方向に座屈変形する際の拡径力により、周囲の軟弱なアンカー孔１０の孔壁が押し広げられてアンカー孔１０より大径の拡大空間１２が形成される。
尚、図面では便宜上、変形定着部３２と拡大空間１２の孔壁の間に隙間を有した形態で図示しているが、実際には変形定着部３２は拡大空間１２の孔壁に接して図示するような大きな隙間は生じない。
また、変形定着部３２の全長は予め判明しているから、引張材２１の引張り変位量を計測することにより、または引張力を調整することにより、変形定着部３２の拡径量を容易にかつ正確に把握できる。
【００３３】
補強定着筒３０を座屈変形させた後に、ジャッキ５１と反力体５０を撤去する。
補強定着筒３０は鋼管製の塑性変形する素材で構成されているから、変形定着部３２が球根状に座屈変形した後は元の筒形状に戻ることはない。
【００３４】
［固結材の充填］
地表側からアンカー孔１０の奥部に形成した拡大空間１２内にモルタル等の固結材を充填して、図１に示すような球根状の拡径耐荷体４０を得る。
球根状の拡径耐荷体４０は補強定着筒３０により補強される。
このようにして構築したアンカーは、引張材２１が拡径耐荷体４０に埋設された範囲がアンボンド構造になって拡径耐荷体４０から構造的に絶縁されつつ、補強定着筒３０を介して引張材２１は拡径耐荷体４０に力の伝達が可能なように一体に固着される。
また孔外にのびる引張材２１は所定のアンカー定着要素と接続して各種のアンカー用途に供する。
【００３５】
（５）アンカーの特性
上記した工程で構築したアンカーは、以下のような複数の特性を有する。
【００３６】
＜ａ＞圧縮型アンカー
従来型の球根アンカーでは、アンカーに引張力が作用すると、引張材に固着している固結材が地表に近い部分から順次クラック破壊を起こして十分なアンカー耐力を得ることができなかった。
【００３７】
これに対し本発明に係るアンカーは、引張材２１が補強定着筒３０を介して拡径耐荷体４０の奥部に固着されるが、シース２２で被覆した拡径耐荷体４０の埋設範囲は固結材と付着せずに絶縁されている。
そのため、引張材２１に作用する引張力が、拡径耐荷体４０の地表側の固結材に伝達されることがないから、従来のような地表側の固結材にクラック破壊が起きることを未然に防止することができる。
さらに引張材２１の先端部が拡径耐荷体４０の奥部で一体に固着しているので、引張材２１に作用する引張力を拡径耐荷体４０の全体に伝えられる。
このように固結材のクラック破壊を効果的に防止して拡径耐荷体４０と引張材２１の固着状態を長期間に亘って保証できるので、従来のアンカーと比べてアンカー耐力に対する信頼性が高くなる。
【００３８】
さらに、引張材２１に引張力が作用したとき、拡径耐荷体４０は表層側の孔壁に支持されて圧縮力のみが作用することになるから、従来の引張型アンカーに対して、本発明では圧縮型アンカーとなる。
この圧縮型アンカーは補強定着筒３０が拡径耐荷体４０を補強するだけでなく、拡径耐荷体４０と一体化した補強定着筒３０の強度が引抜抵抗要素となるので、拡径耐荷体４０の増強が図れる。
したがって、アンカー孔１０を岩盤に達する深度まで削孔しなくとも、軟弱な地盤であっても表層に近い深さで以って十分な支持力を確保することができる。
【００３９】
＜ｂ＞拡径量の簡易把握
従来は、地中における拡径量を測定するにはＣＣＤカメラを用いた工学的方法やレーザー測定法等の特殊な計測装置を用いる必要があるだけでなく、急斜面での測定作業は困難を極める難点がある。
【００４０】
これに対して、本発明では反力体５０を併用して補強定着筒３０を座屈変形させる際の、引張材２１の引出量（緊張量）や緊張力等の変位から、補強定着筒３０の変形定着部３２が座屈変形する量（拡径量）を正確に推定することが可能となる。
したがって、前記した特殊な計測装置を使用することなく補強定着筒３０の変形量を簡易に把握できるため、アンカー耐力に対する信頼性が向上する。
【００４１】
＜ｃ＞孔壁の崩壊防止作用
アンカー体２０を挿入した後に、補強定着筒３０が圧縮されて座屈し、拡径した変形定着部３２が孔壁に接触するので、孔壁の崩壊を防止した状態で固結材の充填が可能である。したがって、拡径耐荷体４０を良好な品質に形成できる。
【実施例２】
【００４２】
以上は補強定着筒３０の座屈変形力を利用してアンカー孔１０に拡大空間１２を形成する場合について説明したが、図６に示すように予めアンカー孔１０に拡大空間１２を形成した後にアンカー体２０を挿入して既述したアンカー工を行ってもよい。
【００４３】
予め拡大空間１２を形成する方法としては、例えばウォータージェット等の高圧流体の噴射力を利用して拡径する方法、拡縮機能を有する各種の削孔装置で削孔して拡径する方法、爆発物を用いて拡径する方法等の公知の方法が採用である。
【００４４】
本例にあっては、補強定着筒３０の座屈変形力だけでは拡径が困難な地盤に対して有効である。
【実施例３】
【００４５】
また以上はアンカー体２０にひとつの拡径耐荷体４０を設ける場合について説明したが、ひとつのアンカー体２０に複数の拡径耐荷体４０を設けるようにしてもよい。
【００４６】
図７を参照しながら本実施例を説明する。本例では一本の引張材２１に対して複数の補強定着筒３０を外装してアンカー体２０を構成する。
引張材２１を最先端の補強定着筒３０に固定することは既述した実施例と同様である。
【００４７】
補強定着筒３０の配置形態としては、補強定着筒３０と補強定着筒３０の間に反力体５０を介在させる場合のほかに、補強定着筒３０のみを直列に配置する場合があり、これらは構築予定の拡径耐荷体４０の形成間隔を考慮して決定する。
【００４８】
また補強定着筒３０を連続した一本ものの長尺管で構成し、この管の周面の軸方向に間隔を隔てた複数箇所にスリットと変形定着部を形成してもよい。
【００４９】
アンカー体２０の後端に反力体５０を付設してアンカー孔１０内に挿入した後（図７Ａ）、反力体５０に反力を取りつつ引張材２１を緊張して各補強定着筒３０を座屈変形させる（図７Ｂ）。
この場合、アンカー体２０の先端側から順次補強定着筒３０を座屈変形させる場合のほかに、一度に複数の補強定着筒３０を座屈変形させる場合もある。
最後にアンカー孔１０内に固結材を充填して、引張材２１の複数箇所に球根状の拡径耐荷体４０を構築する。
【００５０】
本実施例にあっては、抜き取り抵抗要素である補強定着筒３０を複数形成することでアンカー耐力が高まるだけでなく、軟弱の地盤であってもアンカー孔１０の削孔長をさらに短くして高いアンカー耐力を確保できるという利点がある。
【実施例４】
【００５１】
図８，９は一本の引張材２１に対し、同軸線上に異径の複数の補強定着筒３０ａ，３０ｂを多重に配置した他の実施例を示す。
外側の補強定着筒３０ａと内側の補強定着筒３０ｂは、共に構造は共通であるが、径と変形定着部３２の変形量に差を有している。
少なくとも外側の補強定着筒３０ａの先端は、定着具２３を介して引張材２１と離脱しないように固着する。
そして補強定着筒３０ａ，３０ｂの後端（上端）を反力体５０で支持した状態で、引張材２１を引張して補強定着筒３０ａ，３０ｂを拡径方向に座屈変形させて、図９に示すような引張材２１の周囲に拡径量の異なる複数の変形定着部３２を形成する。
補強定着筒の重合数は二重以上であってもよい。
【００５２】
本実施例にあっては、拡径耐荷体の補強要素である補強定着筒３０ａ，３０ｂを多重に配置して拡径耐荷体の強度を増強できるので、圧縮型アンカーとしてのアンカー耐力が格段に向上するという利点がある。
【図面の簡単な説明】
【００５３】
【図１】本発明の実施例１に係るアンカーのモデル図
【図２】アンカー体の斜視図
【図３】図２におけるIII−IIIの断面図
【図４】アンカー孔内にアンカー体をセットまでの施工方法の説明図
【図５】補強定着筒を座屈変形する時の施工方法の説明図
【図６】予めアンカー孔に拡大空間を形成して施工する実施例２の説明図
【図７】複数の拡径耐荷体を形成する実施例３の説明図
【図８】補強定着筒を多重に配置してアンカー体を構成する実施例４の説明図
【図９】多重に配置した補強定着筒を座屈変形させたときのモデル図
【符号の説明】
【００５４】
１０・・・アンカー孔
１１・・・ケーシング
１２・・・拡大空間
２０・・・アンカー体
２１・・・引張材
２２・・・シース
３０・・・補強定着筒
３１・・・スリット
３２・・・変形定着部
４０・・・拡径耐荷体
５０・・・反力体
【図１】
2006348669.tif 000003
【図２】
2006348669.tif 000004
【図３】
2006348669.tif 000005
【図４】
2006348669.tif 000006
【図５】
2006348669.tif 000007
【図６】
2006348669.tif 000008
【図７】
2006348669.tif 000009
【図８】
2006348669.tif 000010
【図９】
2006348669.tif 000011